(57)【特許請求の範囲】
【請求項１】
室内機側に取り付けられた固定枠に着脱自在に装着される集塵ユニットを備えた空気調和機搭載型空気清浄器において、
前記集塵ユニットの本体ケースに係止用ボス部を形成し、
前記固定枠には、前記係止用ボス部が着脱自在に係止可能な引掛け部を有した固定枠と一体のリブと、前記係止用ボス部を弾性変形により前記引掛け部に押圧しその係止状態を保持する弾性部とからなる係止部を設け、
前記リブが室内機据付姿勢で前記集塵ユニットの自重を受けない上側に位置し、
前記弾性部が室内機据付姿勢で前記集塵ユニットの自重を受ける下側に位置するとともに、室内機の出荷梱包姿勢では前記集塵ユニットの自重を受けない側としたことを特徴とする空気調和機搭載型空気清浄器。
【請求項２】
前記引掛け部と係止用ボス部は、それぞれ互いに係合し合う爪を有することを特徴とする請求項１に記載の空気調和機搭載型空気清浄器。
【請求項３】
前記弾性部は、前記固定枠から立ち上がる円弧状の弾性片からなり、前記弾性片に当接して過剰変形を規制するストッパを前記固定枠に設け、前記係止用ボス部の厚さは、弾性片とストッパの両接触点の間隙寸法よりも大きいことを特徴とする請求項１に記載の空気調和機搭載型空気清浄器。
【発明の詳細な説明】
【０００１】
【発明の属する技術分野】
本発明は、空気調和機搭載型の空気清浄器に係り、特に、空気清浄器を固定するための係止部を改良した空気調和機搭載型空気清浄器に関する。
【０００２】
【従来の技術】
最近の空気調和機では、室内機の吸込口に空気清浄器を取り付けたものが普及している。この空気清浄器では、電極の放電により空気中の塵埃を帯電させ、電気的に集塵ユニットに吸着させるようになっている。
【０００３】
図２は、この種の空気清浄器を備える空気調和機の室内機１を示す。この室内機１の前面パネル３０の前面側１ａには、吸込グリル２が開閉可能の取り付けられている。この吸込グリル２を開けると、プレフィルタ３が取り付けられており、さらにその内側に集塵ユニット７と脱臭フィルタ９からなる空気清浄器１０が取り付けられている。集塵ユニット７および脱臭フィルタ９は、固定枠５によって着脱可能に保持されている。
【０００４】
図３に示すように、室内機１の内部中央には送風ファン１２が配置され、この送風ファン１２を囲むように室内熱交換器１１ａ、１１ｂ、１１ｃが配設されている。これらの室内熱交換器１１ａ、１１ｂ、１１ｃの下方にはドレーンパン１３が配設され、このドレーンパン１３の下方にはルーバ１４ａを有する吹出口１４が開口している。送風ファン１２が回転すると、室内の空気は吸込グリル２と上部グリル２ａを介し吸い込まれる。この空気はプレフィルタ３によって予備的に大きな塵等が取り除かれた後、脱臭フィルタ９で脱臭されるとともに集塵ユニット７で塵埃が除去されから、室内熱交換器１１ａ、１１ｂ、１１ｃで熱交換を受けるようになっている。
【０００５】
空気清浄器１０の集塵ユニット７は、図２に示すように、横長の矩形状の本体ケース１４を有し、この本体ケース１４の内部に、図３に示すように、放電部１６および集塵部１８が収納されている。この放電部１６および集塵部１８は、図示しない複数の電極をそれぞれ備えている。このうち放電部１６の電極は空気中の塵埃を帯電させるためのもので、集塵部１８の電極は帯電された塵埃を吸着するためのものである。
【０００６】
このような集塵ユニット７は、保持枠５に着脱が自在になっていて、塵埃のたまった集塵部１８を取り外して、水洗いしてから再利用することができる。そこで、図４に、保持枠５に設けられた集塵ユニット７の取付板２０を示す。
【０００７】
この図４において、取付板２０は、樹脂製の固定枠５と一体にのもので、係止部２２と案内溝２４とが形成されている。このうち、係止部２２には、前面側に開口する開口部２２ａを間に置くようにして、係止用爪２２ｂと、これに対向する保持部２２ｃが形成されている。
【０００８】
一方、図５（ａ）に示すように、集塵ユニット７の本体ケース１４の両側の側面には、円柱状の係合部３１と、板状部３２が形成されている。したがって、板状部３２を取付板の２０の案内溝２４に挿入しながら、本体ケース１４を押し込むと、取付板２０の係止用爪２２ｂは、保持部２２ｃとの間で係合部３１を挟み、これが外れないように保持することができるので、図５（ｂ）に示すように集塵ユニット７を取り付けることができる。
【０００９】
【発明が解決しようとする課題】
しかしながら、従来の集塵ユニットでは、取付板２０では、係止用爪２２ｂは、弾性的に変形するように樹脂を材質としているが、輸送時に振動を受けたり、倉庫に保管する間に熱を受けて、変形してしまうという欠点があった。
【００１０】
そこで、本発明の目的は、前記従来技術の有する問題点を解消し、係止部が変形し難く、集塵ユニットを強固に取り付けられるようにした空気調和機搭載型空気洗浄器を提供することにある。
【００１１】
【課題を解決するための手段】
前記課題を達成するために、請求項１に係る発明は、室内機側に取り付けられた固定枠に着脱自在に装着される集塵ユニットを備えた空気調和機搭載型空気清浄器において、前記集塵ユニットの本体ケースに係止用ボス部を形成し、前記固定枠には、前記係止用ボス部が着脱自在に係止可能な引掛け部を有した固定枠と一体のリブと、前記係止用ボス部を弾性変形により前記引掛け部に押圧しその係止状態を保持する弾性部とからなる係止部を設け、前記リブが室内機据付姿勢で前記集塵ユニットの自重を受けない上側に位置し、前記弾性部が室内機据付姿勢で前記集塵ユニットの自重を受ける下側に位置するとともに、室内機の出荷梱包姿勢では前記集塵ユニットの自重を受けない側としたことを特徴とするものである。
【００１２】
この請求項１の発明によれば、室内機が梱包されて輸送、保管される間は、引掛け部と弾性部とを分離し、変形し易い弾性部に集塵ユニットの自重が作用しないので、弾性部の変形を防止することができる。
【００１４】
請求項２に係る発明は、請求項１において、引掛け部と係止用ボス部が、それぞれ互いに係合し合う爪を有することを特徴とする。これによれば、爪を介して引っ掛け部と係止用ボスが係合し合うので、輸送中の振動を受けても外れ難くすることができる。
【００１５】
請求項３に係る発明は、請求項１において、弾性部が、前記固定枠から立ち上がる円弧状の弾性片からなり、前記弾性片に当接して過剰変形を規制するストッパを前記固定枠に設け、前記係止用ボス部の厚さは、弾性片とストッパの両接触点の間隙寸法よりも大きいことを特徴とする。これによれば、円弧状の曲面を案内として係止用ボス部の着脱をし易くし、弾性部の破損をストッパによって防止するとともに、止用ボス部を弾性片とストッパの間に誤って挿入するようなことを防止することができる。
【００１８】
【発明の実施の形態】
以下、本発明による空気調和機搭載型空気清浄器の一実施形態について、添付の図面を参照して説明する。
【００１９】
図１は、本実施の形態による空気清浄器の取付構造を示す断面図である。図２乃至図５に示した従来の空気清浄器とは、固定枠５に対して集塵ユニット７を着脱自在に取り付けるための構造が異なっており、その他の部分については同一の構成要素には同一の参照符号を付して、その詳細な説明は省略する。
【００２０】
図１において、室内機側の取付枠５には、図４に示したものと係止部２２を除き同様の取付部２０が樹脂を材料に一体成形により設けられている。この取付部２０は、外側リブ４２の内側にリブ４３、リブ４４およびリブ４５が連続して閉じた断面をなすように固定枠５と一体で形成されている。このうちリブ４３とリブ４４は、案内溝２４を形成するようになっている。この案内溝２４には、集塵ユニット７の本体ケース１４の両側面に形成した板状部３２が挿入される。この板状部３２の一端部には案内溝２４の幅に略等しい径の円柱状の案内部３２ａが形成されている。また、集塵ユニット７の本体ケース１４の側面には、爪４７を有する係止用ボス４６が形成されている。
【００２１】
次に、このような集塵ユニット７の係止用ボス４６が係止する係止部４８について説明する。
【００２２】
係止部４８は、前記したリブ４５と、係止用ボス４６の幅よりもある程度小さな間隔をリブ４５との間におくようして固定枠５に設けた弾性部４９とから構成されている。リブ４５には、係止用ボス４６の爪４７に係合する爪５０が引掛け部として形成されている。この実施形態では、弾性部４９は、固定枠５と一体形成される弾性片からなり、この弾性片は着脱し易くするために緩い曲率で固定枠５から湾曲するようにリブ４５と対向するように立ち上がっている。このような弾性部４９の下側には、固定枠５と一体のストッパー部５２が設けられている。このストッパー部５２の先端部には、弾性部４９がたわんだときにその先端部が当接するので、それ以上に弾性変形せず破損を防止できるようになっている。なお、図１に示すように、弾性部４９の先端とストッパー部５２の先端との隙間Ａは、係止用ボス４６の間隔Ｂよりもかなり小さくなっていて、誤って係止用ボス４６が弾性部４９とストッパ部５２の隙間に挿入されることがないようになっている。
【００２３】
集塵ユニット７を固定枠５に対して取り付けたときには、爪４７、５０同士が係合し合うとともに、弾性部４９がたわんでその弾性力で係止用ボス４６をリブ４５側に押圧し、係合状態が外れないように保持される。ここで、図１では、集塵ユニット７は室内機を据え付けたときの姿勢で表わされている。この据え付け姿勢では、係止部４８のリブ４５は上側、弾性部４９は下側である。したがって、集塵ユニットの自重は、弾性部４９にかかり、係止部のリブ４５には作用しない。
【００２４】
これに対して、製品出荷および流通過程では、室内機は梱包されて保管や輸送等が行われる。その場合には、集塵ユニット７の姿勢は、上述した据付時とはちょうど上下が反対となり、重力の方向は矢印で示す方向になる。したがって、集塵ユニット７の自重は、剛性の高いリブ４５にかかり、弾性部４９には作用しないようになっている。このため、変形しやすい弾性部４９の変形を防止することができる。また、リブ４５と弾性部４９とは爪４７、５０で引っ掛かり合っているので、輸送中の振動を受けても外れることもない。
【００２５】
【発明の効果】
以上の説明から明らかなように、本発明によれば、集塵ユニットを固定枠に対して固定する係止部の変形を防止し、集塵ユニットを強固に取り付けることができる。
【図面の簡単な説明】
【図１】本発明による空気調和機搭載型空気清浄器の一実施形態において集塵ユニットの取付構造を示す断面図。
【図２】本発明が適用される空気調和機の室内機の外観図。
【図３】図２の室内機の断面図。
【図４】空気清浄器の集塵ユニットを取り付ける固定枠を示す斜視図。
【図５】従来の集塵ユニットの取付構造を示す断面図。
【符号の説明】
５  固定枠
７  集塵ユニット
１４  本体ケース
２４  案内溝
３２  板状部
４５  リブ
４６  係止用ボス
４７  爪
４８  係止部
４９  弾性部
５０  爪
５２  ストッパ部
【図１】
0004187362.tif 000002
【図２】
0004187362.tif 000003
【図３】
0004187362.tif 000004
【図４】
0004187362.tif 000005
【図５】
0004187362.tif 000006